【事件の表示】
　特願２０１１−１７１２１４「ファスナ及びその装着方法」拒絶査定不服審判事件〔平成２３年１１月１７日出願公開、特開２０１１−２３１９３２〕について、次のとおり審決する。
【結　論】
　本件審判の請求は、成り立たない。
【理　由】
手続の経緯
　本願は、２００３年４月２９日（パリ条約による優先権主張外国庁受理　２００２年５月１３日、米国）を国際出願日とする特願２００４−５０５５５２号の一部を、平成２３年８月４日に新たな特許出願としたものであって、平成２４年１１月２７日付けの拒絶理由に対して、平成２５年６月３日に意見書及び手続補正書が提出されたが、同年８月１日付け（発送日：８月５日）で拒絶査定がなされ、これに対して、同年１２月５日に拒絶査定不服審判の請求がなされ、平成２６年１月１７日に手続補正書（方式）が提出されたものである。
　
第２　本願発明
　本願の請求項１に係る発明は、平成２５年６月３日付け手続補正により補正された特許請求の範囲の請求項１に記載された事項により特定される、次のとおりのものである（以下「本願発明」という。）。
　「スウェージング法またはトルキング法により少なくとも１つのワークに装着できるファスナにおいて、
　該ファスナを挿入する開口を有するワークと、
　該ファスナの近位端に配置されかつ長手方向軸線の回りに実質的に中心をもつ拡大突出ヘッドと、
　該ヘッドの遠位側に隣接して配置されかつ前記長手方向軸線の回りに実質的に中心をもつ実質的に円筒状の円滑シャンク部分とを有し、該円滑シャンク部分は、ワークに形成された周囲の開口と締り嵌めを形成するように寸法決めされた第一直径を有し、
　円滑シャンク部分の遠位側に配置されかつ前記長手方向軸線の回りに実質的に中心をもつねじ付シャンク部分を有し、該ねじ付シャンク部分は標準雄ねじを備え、該標準雄ねじは、これより軟らかい材料からなるスウェージカラーを、標準雄ねじに目立つほどの損傷を引起こすことなく標準雄ねじ上にスウェージングさせることができる充分な強度を有し、前記標準雄ねじは、円滑シャンク部分の第一直径より小さい第二直径を有し、前記ワークの開口にファスナを固定するのに充分に該標準雄ねじ上にしっかりと雌ねじ具を受け入れるように形成されており、
　ねじ付シャンク部分の遠位側に配置されかつ前記長手方向軸線の回りに実質的に中心をもつピン・テール部分を有し、ピン・テール部分は、工具がピン・テール部分に係合しかつファスナを引張って張力を付与する手段を備え、かつねじ付シャンク部分の第二直径より小さい第三直径を有し、ファスナのねじ付シャンク部分と係合されることを意図したスウェージカラーまたは雌ねじ具が、ピン・テール部分に全く干渉することなく該ピン・テール部分上に嵌合でき、
　ピン・テール部分の第三直径より小さい第四直径をもつ細頚溝を更に有し、該細頚溝はねじ付シャンク部分とピン・テール部分との間に配置されかつ前記長手方向軸線の回りに実質的に中心を有し、細頚溝は、該細頚溝がファスナの他のいかなる部分よりも小さい引張り強度を有しかつ所定範囲の張力をファスナのピン・テール部分に加えたときにファスナが細頚溝で切断することを確保するように調整されており、
　ねじ山のないスウェージカラーおよび雌ねじ具の一方は、ファスナのねじ付シャンク部分と係合し、前記ねじ山のないスウェージカラーは、実質的に円滑な内面を有し、且つ、スウェージカラーと、ピン・テール部分、細頚溝およびねじ付シャンク部分との間にすきま嵌めを形成し、前記ねじ山のないスウェージカラーは、標準雄ねじに沿う流体の流れを実質的に阻止するように、ねじ付シャンク部分の標準雄ねじを実質的に充満するように、ねじ付シャンク部分に、スウェージング作業により装着されるように構成され、前記雌ねじ具は、複数の雌ねじを有し、且つ、ピン・テール部分に全く干渉することなくピン・テール部分上に嵌合でき、前記雌ねじ具は、更に、ピン・テール部分を除去する前に、ファスナをワークに固定するのに十分なトルクを加えて、ファスナをワークに固定するように構成されていることを特徴とするファスナ。」
　
第３　刊行物に記載された事項 
１．原査定の拒絶の理由に引用された、本願の優先権主張日前に日本国内において頒布された特表昭６３−５００１９７号公報（以下「刊行物１」という。）には、「ファスナー」に関し、図面（特に、第１〜３図、第６、７図参照）とともに、次の事項が記載されている。以下、下線は当審で付与するものである。
　
　ア．特許請求の範囲の第１項
　「１．選択的可変締め付け応力をもって
工作物を相互に固着するファスナー
ファスナーは、一端において拡大型ピンヘッドに終わる細長いシャンクを有するピン部材と、ネジ山を成す複数の螺旋ロックグルーブを含む前記シャンク上のロックグルーブ部と、前記のピンシャンク上に配置され前記設置工具によって加えられる前記の相対軸方向応力の第１設定値に対応して前記ロックグルーブ部の中に据え込まれる管状つばとを含み、前記管状つばは前記螺旋ロックグルーブを全体として動きばめする直径の孔を有し、また前記管状つばは、前記孔の内側面に形成され前記螺旋ロックグルーブの前記ネジ山とかみ合う有限メスネジを有し
　
　イ．特許請求の範囲の第１０項
　「１０．前記の
シャンクは前記ピンヘッドと反対側の末端に配置された引っ張り部分と、前記拡大ピンヘッドに隣接配置された真直平滑なシャンク部と、前記真直部に隣接配置された前記ロックグルーブ部と、前記ピンシャンクの最弱部を成し前記引っ張り部と前記螺旋ロックグルーブとの間に配置されたブレークネック・グルーブとを含み
前記管状つばの孔は前記引っ張り部と前記螺旋ロックグルーブとを動きばめする直径を有する
　
　ウ．５頁右上欄８行〜左下欄３行
　「第１図と第２図に示す
ファスナー１０はピン部材１２と管状つば１４とを含む
シャンク１５は、相互に固着されるべき一対の工作物１８，２０のそれぞれの穴１６，１７に挿通されている
ヘッド２２に隣接してシャンク１５は真直部２４を有し、この真直部２４は整列穴２６，２７の中に動きばめされる
真直部２４につづいて、連続的コイルネジ状の複数グルーブ２６によって画成されたロックグルーブ部２５がある
　
ブレークネック・グルーブ４０がロックグルーブ部２５と把持部または引っ張り部４２との間に配置され、シャンク１５の最弱部を成している
引っ張り部４２は複数の環状引っ張りグルーブ４４から成り、これらの環状引っ張りグルーブはシャンク１５およびロックグルーブ部２５に対して小径である
引っ張りグルーブ４４は、ファスナー１０を設定するための工具４８によって把持される
　
　エ．５頁左下欄１１〜２０行
　「管状つば１４は、拡大フランジ５９に終わる大体真っすぐなシャンク５７を有する。ピン部材１２と管状つば１４との間に相対トルクを加えるため、ピンヘッド２２とつばフランジ５９はそれぞれスパナまたは他の適当な工具による把持を容易にするスパナフラットを具備する（第１図、第２図および第６図参照）。
管状つば１４はシャンク１５と動きばめする内径ＩＤの大体平滑な孔６１を有する。孔６１のフランジ側末端にメスネジ山６３が形成され、螺旋形ロックグルーブ２６と補形的にかみ合う
ネジ山６３は有限であって、単一の３６０°ネジ
　
　オ．５頁右下欄６行〜６頁左上欄１１行
　「操作に際して、まず工作物１８と２０が、つばネジ山６３とネジロックグルーブ２６とのネジ係合によって相互に係合される。
引っ張り部４２はつばネジ山６３の内径より小なる最大径を有するので、つば１４はピン１２の上を移動させられて、容易にロックグルーブ部２５に係合させられる
ジョー組立体５０は引っ張りグルーブ４２を把持し、またジョーの据え込みアンビル部５６がつば１４の外側末端に係合する
ピン１２とつば１４は据え込み型ファスナーとして作用し、工作物１８と２０はピン１２とつば１４との間において最初に加えられた相対軸方向応力によって所定の予荷重まで相互に締め付けられ、さらに軸方向応力が増大する従って、つば１４がロックグルーブ部２５の中に据え込まれる。軸方向応力が増大し続けるさいに、ピン１２がブレークネック・グルーブ４０において破断して、据え込み行程を終了する応力強度に達する（第２図）
　
　カ．７頁左上欄１６〜１９行
　「
浅いグルーブ構造
螺旋ロックグルーブ２６を充填するために必要な量以上の素材量
　
　キ．７頁右上欄２０〜２３行
　「
螺旋ロックグルーブ２６の浅い
ピン１２は高い据え込み圧縮荷重による引っ張りに際しての破断または実質的降伏すなわちネッキングダウンに抵抗する程度に、管状つば１４の固さよりも固い
　
　ク．７頁右下欄１１〜１４行
　「また管状つば１４の素材量と据え込みキャビティ３６は、
管状つば１４の素材を螺旋ロックグルーブ２６の中へ移動させて良好な充填を成す
　
　上記記載事項から次の事項が理解できる。
　ケ．上記記載事項ウの「真直部２４は整列穴
２６，２７
１６，１７
　即ち、真直部２４は、工作物の穴１６，１７の中に動きばめされるものである。
　
　コ．同じく記載事項ウの「ブレークネック・グルーブ４０が…(略)…、シャンク１５の最弱部を成している。…(略)…、これらの環状引っ張りグルーブはシャンク１５およびロックグルーブ部２５に対して小径である。」との記載からみて、引っ張りグルーブ４２は、シャンク１５、真直部２４に対して小径であり、又、ブレークネック・グルーブ４０が、シャンク１５における最弱部であるところ、第１〜３図からみても、当該ブレークネック・グルーブ４０が、シャンク１５における最小径であるから、ブレークネック・グルーブ４０は引っ張り部４２より小径である。
　
　サ．上記記載事項イ、エのとおり、管状つば１４は、引っ張り部４２、ロックグルーブ部２５と動きばめする直径の大体平滑な孔６１を有し、該穴６１の末端に、螺旋形ロックグルーブ２６とかみ合う、有限のメスネジ山６３が形成されているものである。
　
　シ．上記記載事項キのとおり、ピン１２は管状つば１４より固い材料からなるものである。
　換言すれば、管状つば１４は、ピン１２（螺旋ロックグルーブ２６が含まれることは言うまでもない。）より軟らかい材料からなるものである。
　
　ス．上記記載事項カ、クのとおり、管状つば１４は、螺旋ロックグループ２６の中に移動させて良好な充填をなすのに十分な素材量のものであるから、管状つば１４が螺旋ロックグループ２６に据え込み圧縮される際、螺旋ロックグルーブ部２６が充満されることは明らかである。
　
　上記記載事項、図示内容及び認定事項を総合して、本願発明に則って整理すると、刊行物１には、次の発明（以下「引用発明」という。）が記載されていると認められる。
「据え込みにより工作物１８，２０を相互に固着できるファスナー１０において、
　ファスナー１０は、ピン部材１２と管状つば１４とを含み、
　ファスナー１０を挿入する穴１６，１７を有する工作物１８，２０と、
　前記ピン部材１２の細長いシャンク１５の一端に配置されたピンヘッド２２と、 
　該ピンヘッド２２に隣接して配置された真直部２４とを有し、該真直部２４は、工作物に形成された穴１６，１７に動きばめされる直径を有し、
　真直部２４につづいて配置されるロックグルーブ部２５を有し、該ロックグルーブ部２５は、ネジ山を成す複数の螺旋ロックグルーブ２６を含み、該螺旋ロックグルーブ２６は、螺旋ロックグルーブ２６より軟らかい材料からなる管状つば１４を、前記グルーブ２６上に据え込むことができるのものであり、
　ロックグルーブ部２５に隣接して配置される引っ張り部４２を有し、引っ張り部４２は、ジョー組立体５０によって把持される複数の環状引っ張りグルーブ４４から成り、ロックグルーブ部２５に対して小径であり、管状つば１４は、ピン１２の上を移動させられて、容易にロックグルーブ部２５に係合させることができ、
　引っ張り部４２より小径のブレークネック・グルーブ４０を更に有し、該ブレークネック・グルーブ４０は、引っ張り部４２とロックグルーブ部２５との間に配置され、ブレークネック・グルーブ４０は、シャンク１５の最弱部をなし、かつ、ジョー組立体５０を介してピン部材１２と管状つば１４との間に相対軸方向応力を加え、軸方向応力が増大し続けるさいに、ピン部材１２がブレークネック・グルーブ４０において破断するものであり、
　管状つば１４は、ピン部材１２のロックグルーブ部２５と係合し、引っ張り部４２、ロックグルーブ部２５と動きばめする直径の大体平滑な孔６１を有し、該孔６１の末端に、螺旋形ロックグルーブ２６とかみ合う、有限のメスネジ山６３が形成されるものであり、且つ、前記管状つば１４は、螺旋ロックグループ２６に据え込み圧縮される際、螺旋ロックグルーブ２６を充満するように、ロックグルーブ部２５に装着される、ファスナー。」
　
２．同じく引用された、本願の優先権主張日前に日本国内において頒布された特開平４−５０７２７８号公報（以下「刊行物２」という。）には、「スウェージ締結具」に関し、図面（特に、第１〜４図、第７〜１０図参照）とともに、次の事項が記載されている。
　
　セ．８頁左上欄１１行〜右上欄８行
　「
第１図から第４図
ピン１２と管状カラー１４とを包含する多片締結具１０
ピン１２には、１対の加工物２４，２６の整合された開口部２０，２２内へそれぞれ受容されるようにされた拡大頭部１６とピン・シャンク１８とが包含されている
引張り式締結具として取付けを行う
ピン１２を備えるスウェージ式締結具
ピン・シャンク１８は拡大頭部１６に隣接して平滑なシャンク部分２８を存し
らせん状引張り溝３６を有する短い引張り部分３４（括弧内）に終わるロック溝部分３０がそれに続いている
ロック溝３２と引張り溝３６とが均等で連続的ならせん状のねじ山によって画定されるが、それは、ＵＮＣおよび／またはＵＮＦねじ山形状のような標準的なねじ山形状
カラー１４は、概ね一様な直径の平滑な貫孔内孔４２を介し、ねじ付きロック溝部分３０へ受容される
　
　ソ．８頁左下欄１〜６行
　「第１図から第４図には、修正されたスタンプ式締結具ｌ０を引張り式締結具として取り付ける工具４４の一部分が示されている。
工具４４には、引張り部分３４のらせん状引張り溝３６とねじ込み自在に係合すべく大きさを定められたグリップめねじ４８を有する回転ナツト部材４６
　
　タ．９頁右下欄１４行〜１０頁左上欄１６行
　「ここで
第７図から第１０図
締結具１０ｃがピン部材１２ｃと管状カラー１４ｃとを包含
すきまばめを以て貫いて延在する細長いピン・シャンク１８ｃ
拡大された突出する頭部１６ｃ
真っ直なシャンク部分２８ｃ
連続するらせん状のねじ形状を存する複数のロック溝３２ｃ
ロック溝部分３０ｃ
複数の引張り溝３６ｃを有する引張り部分３４ｃ
　管状カラー１４ｃは概ね真っ直なシャンク４０ｃを有し、拡大フランジ３８ｃに終わる。
　ピン頭部１６ｃおよびカラー・フランジ３８ｃの双方には、レンチまたはその他の、ピン部材１２ｃとカラー１４ｃとの間に相対的トルクを付与するに適した工具による把持を容易にさせるため、レンチフラットを設けることかできる（第７図および第９図参照）。カラー１４ｃに関して述べれば、
カラー１４ｃは、ピン・シャンク１８ｃに対してすきまを有する内径の、概ね平滑な内こう４２ｃを備え、内こう４２ｃのフランジ端にはめねじ５６か形成され、らせん状のロック溝３２ｃと相補的且つねじ込み自在に係合するようにされている。見てわかる理由により、カラーねじ５６は、範囲が限定されている
　
　チ．１０頁右下欄１７行〜１１頁左上欄１８行
　「
ロック溝３２ｃの浅さ
ビン１２ｃは
分な硬さを備えている
カラー・シャンク４０ｃの肉厚は、必要な材料を供給
良好な充てんが確保
　
第４　対比 
　本願発明と引用発明とを対比する。 
　ａ．引用発明の「据え込み」は、その機能、構造からみて、本願発明の「スウェージング法」に相当し、以下、同様に、「工作物１８，２０」は「ワーク」に、「ファスナー１０」は「ファスナ」に、「穴１６，１７」は「開口」に、「ピンヘッド２２」は「拡大突出ヘッド」に、「真直部２４」は「円滑シャンク部分」に、「ロックグルーブ部２５」は「ねじ付きシャンク部分」に、「引っ張り部４２」は「ピン・テール部分」に、「ブレークネック・グルーブ４０」は「細頚溝」に、「管状つば１４」は「スウェージカラー」に、それぞれ相当する。
　ｂ．本願発明の「拡大突出ヘッド」、「円滑シャンク部分」、「ねじ付きシャンク部分」、「ピン・テール部分」、「細頚溝」は、それぞれ「長手方向軸線の回りに実質的に中心をもつ（有し）」と特定されているので、当該特定事項について検討する。
　本願図面の図１〜４には、長手方向（軸方向）の中心の位置に、一点鎖線が付記されたファスナーが記載されており、当該一点鎖線が「長手方向軸線」を示し、且つ、各部分の実質的な中心（軸）と認められるから、上記特定事項は、本願発明の「拡大突出ヘッド」、「円滑シャンク部分」、「ねじ付きシャンク部分」、「ピン・テール部分」、「細頚溝」が、同じ中心軸を有していることを特定するものと認められる。
　他方、引用発明のピン部材１２は、拡大突出ヘッド２２、真直部２４、ロックグルーブ部２５、引っ張り部４２、ブレークネック・グルーブ４０からなるものであるところ、これら各部は、同一軸線を中心軸としていることは明らかであるから、引用発明においても、前記各部は「長手方向軸線の回りに実質的に中心をもつ」といえる。
　ｃ．本願発明の「締り嵌め」と引用発明の「動きばめ」とは、円滑シャンク部分（真直部２４）がワークの開口に挿入された時の円滑シャンク部分と開口との関係を表している点で共通する。
　ｄ．引用発明の「ロックグルーブ部２５」を構成する「ネジ山を成す複数の螺旋ロックグルーブ２６」は、管状つば部１４のメスネジ山６３がかみ合うものであるから、雄ねじであることは明らかであるところ、上記記載事項カ、キのとおり、前記螺旋ロックグルーブ２６は浅いものであるから、この点で、本願発明の「標準雄ねじ」とは相違する。
　ｅ．上記認定事項コに関連して、引用発明の雄ねじ（ネジ山を成す複数の螺旋ロックグルーブ２６）の直径が、真直部２４の直径より小径であるか否か定かではないが、直径を有していることは言うまでもなく、当該直径を第二直径と称しても何ら問題はない。
　ｆ．引用発明の「環状引っ張りグルーブ４４」は、ジョー組立体５０（工具）によって把持され引っ張られることにより、ファスナーに張力を付与するものであるから、本願発明の「工具がピン・テール部分に係合しかつファスナを引張って張力を付与する手段」に相当する。
　ｇ．引用発明の管状つば１４は、螺旋ロックグルーブ２６より軟らかい材料のものであるから、据え込みに際しては、螺旋ロックグルーブ２６（雄ねじ）に目立つほどの損傷を引起こすことなく、スウェージングさせることができる充分な強度を有しているといえる。
　ｈ．引用発明の管状つば１４は、引っ張り部４２（本願発明のピン・テール部分に相当）と動きばめする直径を有しているから、本願発明と同様に「ピン・テール部分に全く干渉することなく該ピン・テール部分上に嵌合でき」るものである。
　ｉ．引用発明の管状つば１４は、引っ張り部４２、ロックグルーブ部２５と動きばめする直径を有し、ピン１２の上を移動させられて、容易にロックグルーブ部２５に係合させることができ、又、ブレークネック・グルーブ４０はシャンク１５における最小径であるから、本願発明と同様に、「スウェージカラー（管状つば１４）と、ピン・テール部分（引っ張り部４２）、細頚溝（ブレークネック・グルーブ４０）およびねじ付シャンク部分（ロックグルーブ部２５）との間にすきま嵌めを形成」しているといえる。
　なお、本願発明の「すきま嵌め」と引用発明の「動きばめ」とは、同義である。
　ｊ．引用発明のブレークネック・グルーブ４０は、シャンク１５の最弱部をなし、かつ、ジョー組立体５０を介して軸方向応力を加え、該応力が増大し続けるさいに、ピン部材１２がブレークネック・グルーブ４０において破断するものであるから、本願発明と同様に「該細頚溝がファスナの他のいかなる部分よりも小さい引張り強度を有しかつ所定範囲の張力をファスナのピン・テール部分に加えたときにファスナが細頚溝で切断することを確保するように調整されて」いるといえる。
　ｋ．本願発明の「スウェージカラー」に関し、引用発明の管状つば部１４は、末端にメスネジ山が形成されている点で、「ねじ山のない」、「実質的に円滑な」ものとは言えないが、少なくとも、末端に形成されたメスネジ山以外の部分においては、ロックグルーブ２５と動きばめする直径の平滑な部分を有しているから、この限度において、引用発明の管状つば部１４は、本願発明のスウェージカラーと共通する。
　ｌ．本願発明の「標準雄ねじに沿う流体の流れを実質的に阻止する」との特定事項は、スウェージカラーが、スウェージングにより、ねじ付シャンク部分の標準雄ねじを実質的に
充満
　他方、引用発明の管状つば１４は、螺旋ロックグループ２６に据え込み圧縮される際、螺旋ロックグルーブ部２６の中へ移動させて良好な充填を成すものであって、良好な充填により、螺旋ロックグルーブ部２６を実質的に充填するものと認められるから、引用発明においても、本願発明と同様に「雄ねじに沿う流体の流れを実質的に阻止する」ものと認められる。
　
　以上の点からみて、本願発明と引用発明とは、
　［一致点］ 
　「スウェージング法により少なくとも１つのワークに装着できるファスナにおいて、
　該ファスナを挿入する開口を有するワークと、
　該ファスナの近位端に配置されかつ長手方向軸線の回りに実質的に中心をもつ拡大突出ヘッドと、
　該ヘッドの遠位側に隣接して配置されかつ前記長手方向軸線の回りに実質的に中心をもつ実質的に円筒状の円滑シャンク部分とを有し、該円滑シャンク部分は、ワークに形成された周囲の開口に挿入される第一直径を有し、
　円滑シャンク部分の遠位側に配置されかつ前記長手方向軸線の回りに実質的に中心をもつねじ付シャンク部分を有し、該ねじ付シャンク部分は雄ねじを備え、該雄ねじは、これより軟らかい材料からなるスウェージカラーを、雄ねじに目立つほどの損傷を引起こすことなく雄ねじ上にスウェージングさせることができる充分な強度を有し、前記雄ねじは第二直径を有し、
　ねじ付シャンク部分の遠位側に配置されかつ前記長手方向軸線の回りに実質的に中心をもつピン・テール部分を有し、ピン・テール部分は、工具がピン・テール部分に係合しかつファスナを引張って張力を付与する手段を備え、かつねじ付シャンク部分の第二直径より小さい第三直径を有し、ファスナのねじ付シャンク部分と係合されることを意図したスウェージカラーが、ピン・テール部分に全く干渉することなく該ピン・テール部分上に嵌合でき、
　ピン・テール部分の第三直径より小さい第四直径をもつ細頚溝を更に有し、該細頚溝はねじ付シャンク部分とピン・テール部分との間に配置されかつ前記長手方向軸線の回りに実質的に中心を有し、細頚溝は、該細頚溝がファスナの他のいかなる部分よりも小さい引張り強度を有しかつ所定範囲の張力をファスナのピン・テール部分に加えたときにファスナが細頚溝で切断することを確保するように調整されており、
　スウェージカラーは、ファスナのねじ付シャンク部分と係合し、前記スウェージカラーは、円滑な内面を有し、且つ、スウェージカラーと、ピン・テール部分、細頚溝およびねじ付シャンク部分との間にすきま嵌めを形成し、前記スウェージカラーは、雄ねじに沿う流体の流れを実質的に阻止するように、ねじ付シャンク部分の雄ねじを実質的に充満するように、ねじ付シャンク部分に、スウェージング作業により装着されるように構成されているファスナ。」
　である点で一致し、次の点で相違する。
　
　［相違点１］ 
　円滑シャンク部分とワークの開口の関係について、本願発明では、円滑シャンク部分は「締り嵌めを形成するように寸法決めされ」ているのに対して、引用発明では、真直部２４は動きばめされる直径を有している点。
　［相違点２］ 
　本願発明では、ねじ付きシャンク部分が「標準雄ねじ」であり、スウェージカラーが「ねじ山のない」、「実質的に円滑な内面」を有しているものであるのに対して、引用発明では、ロックグルーブ部２５がネジ山であり、管状つば１４が、大体円滑な孔６１を有し、該孔６１の末端に、螺旋形ロックグルーブ２６とかみ合う有限のメスネジ山６３が形成されているものである点。
　［相違点３］ 
　本願発明では、ねじ付きシャンク部分が「第一直径より小さい第二直径を有し」ているのに対して、引用発明では、第二直径が第一直径より小径か否か定かでない点。
　［相違点４］ 
　ファスナが、本願発明では、「スウェージング法またはトルキング法」によりワークに装着でき、トルキング法による場合は「雌ねじ具」を用い、該「雌ねじ具」に関し、「ワークの開口にファスナを固定するのに充分に標準雄ねじ上にしっかりと雌ねじ具を受け入れるように形成されており」、「雌ねじ具がピン・テール部分に全く干渉することなく該ピン・テール部分上に嵌合でき」、「雌ねじ具は、ファスナのねじ付シャンク部分と係合し」、「雌ねじ具は、複数の雌ねじを有し、且つ、ピン・テール部分に全く干渉することなくピン・テール部分上に嵌合でき、前記雌ねじ具は、更に、ピン・テール部分を除去する前に、ファスナをワークに固定するのに十分なトルクを加えて、ファスナをワークに固定するよう構成されている」のに対して、引用発明では、スウェージング法によりワークに装着できるものの、トルキング法で装着できるか否かは明らかでない点。
　
第５　判断 
　上記相違点について検討する。 
１．相違点１について　
　本願発明や引用発明のファスナは、ピン・テール部分、引っ張り部を有し、工具により当該部分を把持し、スウェージング法等により、ワークに装着される、一般に引っ張り型ファスナと称されるものであるところ、引っ張り型ファスナをワークに装着するについて、例えば、特開昭５７−１７９４１１号公報（１０頁左上欄１８〜同右上欄１行、第５，６図参照）等に記載されるように、「隙間嵌め又はしまり嵌め」は、当該技術分野において、どちらもよく知られた普通に採用されている構成である。
　なお付記するに、本願明細書にも、締り嵌め、すきま嵌めのどちらで装着してもよいことが記載されている（段落【００２５】等参照）。
　してみると、ファスナをワークに装着するについて、締り嵌めにするか、すきま嵌めにするかは、当業者の任意に選択できる事項といえ、引用発明の動きばめされる直径に替えて、締り嵌めを形成するように寸法決めすることは、当業者が容易に想到し得たことである。
　
２．相違点２について　
　刊行物２には、ピンと管状カラーとからなり、スウェージング法により、ピンを加工物に装着する「スウェージ締結具」が記載されており、具体的に、第１〜４図に係る実施例と、第７〜１０図に係る実施例と、更に他の実施例が記載されている。
　
　Ａ．第１〜４図に係る実施例は、上記記載事項セからみて、次の態様のものである（以下「第１実施例」という。）。
　ピン１２と管状カラー１４とからなり、スウェージング法により、ピンを加工物に装着するスウェージ締結具１０であって、
　ピン１２は、拡大頭部１６と、平滑なシャンク部分２８を有するピン・シャンク１８と、連続的ならせん状のねじ山からなるロック溝３２によって画定されるロック溝部分３０と、らせん状引張り溝３６を有する短い引張り部分３４とからなり、
　前記ロック溝３２と引張り溝３６とは、均等で連続的な標準的なねじ山形状のものであり、
　管状カラー１４は、一様な直径の平滑な貫孔内孔４２を有する、
　スウェージ締結具。
　
　Ｂ．第７〜１０図に係る実施例は、上記記載事項タ、チからみて、次の態様のものである（以下「第２実施例」という。）。
　ピン１２ｃと管状カラー１４ｃとからなり、スウェージング法により、ピンを加工物に装着するスウェージ締結具１０ｃであって、
　ピン１２ｃは、ピン頭部１６ｃと、すきまばめにより加工物２４ｃ，２６ｃの開口部２０ｃ、２２ｃに挿入される真っ直ぐなシャンク部分２８ｃを有するピン・シャンク１８ｃと、連続する浅いらせん状のロック溝３２ｃにより画定されるロック溝部分３０ｃと、引張り部分３４ｃとからなり、
　管状カラー１４ｃは、ピン・シャンク１８ｃに対してすきまを有する内径の、概ね平滑な内こう４２ｃを備え、内こう４２ｃのフランジ端には、らせん状のロック溝３２ｃとねじ込み自在に係合する、範囲が限定されるカラーめねじ５６が形成されている、
　スウェージ締結具。
　
　上記第１実施例のロック溝部分３０を画成するロック溝３２は、均等で連続的な
標準的なねじ山形状
　他方、上記第２実施例のロック溝部分３０ｃを画成するロック溝３２ｃは、連続する浅いらせん状の溝であり、管状カラー１４ｃの端部に形成される、範囲が限定される（有限の）カラーめねじ５６がねじ込み係合されるものであるから、連続する浅いらせん状の溝が雄ねじであることは明らかであり、又、管状カラー１４ｃは、その端部に、有限のカラーめねじ５６を有し、上記のとおり、連続する浅いらせん状の溝にねじ込み係合されるものである。
　以上の点を総合勘案すると、刊行物２記載のロック溝部分と管状カラーに関して、第１実施例は、本願発明のねじ付きシャンク部分とスウェージカラーと、第２実施例は、引用発明のピン部材１２と管状つば１４と、実質的に、同じものと言える。
　結局、刊行物２には、ロック溝部分が「標準雄ねじ」であって、管状カラーが「ねじ山のない」、「実質的に円滑な内面」を有するもの、即ち、上記相違点２に係る構成を有するファスナ（スウェージ締結具）が記載されており、又、第１実施例からみて、標準雄ねじが、スウェージング法でピンを装着するについて、強度的に十分であることも明らかであり、同時に、引用発明に係る技術事項も、第１実施例と同等の実施例である第２実施例として記載されている。
　してみると、刊行物２に記載された第１、２実施例に接した当業者であれば、引用発明のロックグルーブ部２５のネジ山と、メスネジ山６３のある管状つば１４に替えて、第１実施例の「標準雄ねじ」と、一様な直径の平滑な貫孔内孔を有するスウェージカラーの構成を採用することは、容易に想到し得たことである。
　
３．相違点３について　
　刊行物１には、引っ張り部２４が、シャンク１５およびロックグルーブ部２５に対して小径であることが明記されている（上記記載事項ウ参照）。
　即ち、引っ張り部２４は、シャンク１５において（ブレークネック・グルーブ４０を除いて）一番小径であり、又、反対の端部にはピンヘッド２２があるから、引用発明のピン部材１２を開口部に挿入する際、最小径の引っ張り部２４から挿入することは言うまでもない。
　ところで、直径が異なる複数の部分から構成される棒状部材を開口部に挿入する場合、挿入のし易さ等を勘案すると、前記複数の部分を直径の大きさの順番に配列し、一番細い部分から挿入するように構成することは、当業者が普通に採用する設計事項といえる。
　そして、ピン部材１２は、引っ張り部２４、(ブレークネック・グルーブ４０）、ロックグルーブ部２５、真直部２４の順に配列されており、上記のとおり、引っ張り部２４はロックグルーブ部２５及び真直部２４より小径であり、引っ張り部２４→（ブレークネック・グルーブ４０）→ロックグルーブ部２５→真直部２４の順に挿入されるから、真直部２４より先に挿入されるロックグルーブ部２５を真直部２４より小径とすること、即ち、第二直径を第一直径より小径とすることは、上記設計事項に照らして、当業者が容易に想到し得たことである。
　
４．相違点４について　
　スウェージング法により装着するファスナは、刊行物１、２に記載される他、例えば、特開昭４８−２１０５４号公報（第２図及び第３図の例）、特開昭５７−１７９４１１号公報（第５図及び第６図の例）等に記載されているように周知であり、又、トルキング法により装着するファスナも、例えば、特開昭４８−２１０５４号公報（第１図の例）、特開昭６１−１２９２４３号公報（第１図の例）等に記載されているように周知であるから、スウェージング法により装着するファスナや、トルキング法により装着するファスナは、何れも広く知られ、当業者においては技術常識といえることである。 
　ところで、上記２で検討したとおり、刊行物２の第１実施例のロック溝部分３０のロック溝３２は標準雄ねじであり、該ロック溝部分３０に隣接する引張り部分３４の引張り溝３６も同じ山形形状の標準雄ねじである（上記記載事項セ参照）ところ、該引張り溝３６には、工具４４に設けられた、
めねじ４８を有する回転ナツト部材４６
　同じく、上記２で検討したとおり、引用発明のネジ山により構成されるロックグルーブ部２５を標準雄ねじで構成されるものとすることは、当業者が容易に想到し得る事項であるところ、前記のとおり、標準雄ねじには雌ねじ具が係合できるのであるから、上記の技術常識を備えた当業者が、引用発明のロックグルーブ部２５を標準雄ねじとした場合、引用発明のファスナが、トルキング法によっても装着できるものであると理解することは格別困難なことではない。
　そして、一の部品を複数の形式に兼用するといったことは、普通に想定される範囲内のことであるから、引用発明のファスナを、スウェージング法又はトルキング法の何れの方法によっても、ワークに装着できるものとすることは、当業者が容易に想到し得たことである。
　さらに、トルキング法で装着するには、「雌ねじ具」を用いることは当然であり、又、「雌ねじ具」に関し、「ワークの開口にファスナを固定するのに充分に標準雄ねじ上にしっかりと雌ねじ具を受け入れるように形成されており」、「雌ねじ具がピン・テール部分に全く干渉することなく該ピン・テール部分上に嵌合でき」、「雌ねじ具は、ファスナのねじ付シャンク部分と係合し」、「雌ねじ具は、複数の雌ねじを有し、且つ、ピン・テール部分に全く干渉することなくピン・テール部分上に嵌合でき、前記雌ねじ具は、更に、ピン・テール部分を除去する前に、ファスナをワークに固定するのに十分なトルクを加えて、ファスナをワークに固定するよう構成されている」との相違点４に係る特定事項は、トルキング法を採用する際、当業者が当然に採用する技術事項にすぎない。
　したがって、相違点４に係る構成を採用することは、当業者が容易に想到し得たことである。
　
５．作用効果について　
　本願発明による効果も、引用発明、刊行物２記載の技術事項及び技術常識から当業者が予測し得た程度のものである。 
　
６．まとめ　
　以上のとおり、本願発明は、引用発明、刊行物２記載の技術事項及び技術常識に基づいて、当業者が容易に発明をすることができたものであるから、特許法第２９条第２項の規定により特許を受けることができない。 
　
第６　むすび 
　したがって、本願発明は、特許法第２９条第２項の規定により特許を受けることができないものであるから、他の請求項に係る発明を検討するまでもなく、本願は、拒絶されるべきものである。
　よって、結論のとおり審決する。